(57)【特許請求の範囲】
【請求項１】
紙容器本体の外面に、該紙容器本体の開口予定部を包囲するよう円筒状の口部を有するキャップベースを固着し、該キャップベースの口部を覆うようにネジ式のキャップを取り付け、該キャップを開栓方向に回すことで口部を開放すると共に閉栓方向に回すことで口部を閉めるようにした紙容器のキャップ構造において、
前記キャップベースの口部の内周に円筒状のリテーナが第１ネジ部によりネジ嵌合されると共に、該リテーナの内周に前記キャップの内面に突設した開封軸部が第２ネジ部によりネジ嵌合され、
前記第１ネジ部は、キャップベースに対してリテーナを開栓方向に回すことでリテーナをキャップベースに対して上昇させると共に、キャップベースに対してリテーナを閉栓方向に回すことでリテーナをキャップベースに対して下降させるように、そのネジ方向が設定され、
前記第２ネジ部は、リテーナに対してキャップを開栓方向に回すことでキャップをリテーナに対して下降させると共に、リテーナに対してキャップを閉栓方向に回すことでキャップをリテーナに対して上昇させるように、そのネジ方向が設定され、
さらに、前記キャップに、該キャップに突設した開封軸部の下降によって前記開口予定部が開封されるまでの間は、リテーナをキャップベース側に固定して前記第１ネジ部の相対回転を無効にし、且つ、前記開口予定部が開封された後は、リテーナをキャップ側に固定して前記第２ネジ部の相対回転を無効にするストッパーが設けられていることを特徴とする紙容器のキャップ構造。
【請求項２】
請求項１記載の紙容器のキャップ構造であって、
前記ストッパーが前記キャップの周壁内面に設けられた係止突起からなり、該係止突起に、開封前のキャップの下降時にリテーナの上端をキャップベース側に押さえ付けて前記第１ネジ部の相対回転を無効化する傾斜面と、開封後のキャップの下降時にリテーナの上端を係止することで前記第２ネジ部の相対回転を無効化する係止壁とが設けられていることを特徴とする紙容器のキャップ構造。
【請求項３】
請求項１または２記載の紙容器のキャップ構造であって、
前記開口予定部の外面に紙容器本体よりも硬質材料で作成された中栓が固着され、該中栓に対して前記開封軸部がピボットを介して回転自在に結合されていることを特徴とする紙容器のキャップ構造。
【発明の詳細な説明】
【０００１】
【発明の属する技術分野】
本発明は、飲料等の紙容器におけるキャップ構造に係り、特に無菌充填の紙容器本体に対して開封する機能を備えた紙容器のキャップ構造に関する。
【０００２】
【従来の技術】
従来、この種のキャップ構造として、特開平７−２７７３２４号公報に記載のものや、特願平７−５０７５９４号に記載のものが知られている。
【０００３】
前者の公報に記載のものでは、図４に示すように、紙容器本体１１の上部にヒンジ１２により開閉自在に蓋板１３が取り付けられており、蓋板１３を最初に開けたときに封止用シール１４の端部１４Ａを持って引き剥がすことができるようになっている。また、再封時には、蓋板１３を蓋受フランジ１５に嵌めることで閉止するようになっている。
【０００４】
また、後者の公報に記載のものでは、図５に示すように、紙容器本体２１の上面に取り付けられるキャップベース２２の内周に開封リング２３が嵌合されると共に、キャップベース２２の外周にキャップ２４が嵌合され、開封リング２３の回転により該リング２３の下端の円周刃２３ａによって紙容器本体２１の開口予定部２１ａを切り開くようになっている。
【０００５】
【発明が解決しようとする課題】
ところで、図４に示した構造では、最初に蓋板１３を開いたときに封止用シール１４の一部が自動的に剥がれてから、更にシールを手で剥がすようになっているのであるが、うまく剥がれない場合が多く、その場合シールを手で剥がす必要があるので、手間がかかるという問題があった。また、再封性もよくなかった。
【０００６】
また、図５に示した構造では、単一動作で簡単に開封することができる上に再封性もよいのであるが、構造が複雑である上、円周刃２３ａで切り開く関係から衛生面および安全面に問題があった。
【０００７】
本発明は、上記事情を考慮し、単純なキャップの回転動作のみで紙容器本体を開封することができると共に、構造が簡単で、再封性もよく、しかも安全で衛生的な開封機能を備えた紙容器のキャップ構造を提供することを目的とする。
【０００８】
【課題を解決するための手段】
請求項１の発明は、紙容器本体の外面に、該紙容器本体の開口予定部を包囲するよう円筒状の口部を有するキャップベースを固着し、該キャップベースの口部を覆うようにネジ式のキャップを取り付け、該キャップを開栓方向に回すことで口部を開放すると共に閉栓方向に回すことで口部を閉めるようにした紙容器のキャップ構造において、前記キャップベースの口部の内周に円筒状のリテーナが第１ネジ部によりネジ嵌合されると共に、該リテーナの内周に前記キャップの内面に突設した開封軸部が第２ネジ部によりネジ嵌合され、前記第１ネジ部は、キャップベースに対してリテーナを開栓方向に回すことでリテーナをキャップベースに対して上昇させると共に、キャップベースに対してリテーナを閉栓方向に回すことでリテーナをキャップベースに対して下降させるように、そのネジ方向が設定され、前記第２ネジ部は、リテーナに対してキャップを開栓方向に回すことでキャップをリテーナに対して下降させると共に、リテーナに対してキャップを閉栓方向に回すことでキャップをリテーナに対して上昇させるように、そのネジ方向が設定され、さらに、前記キャップに、該キャップに突設した開封軸部の下降によって前記開口予定部が開封されるまでの間は、リテーナをキャップベース側に固定して前記第１ネジ部の相対回転を無効にし、且つ、前記開口予定部が開封された後は、リテーナをキャップ側に固定して前記第２ネジ部の相対回転を無効にするストッパーが設けられていることを特徴とする。
【０００９】
ここで、紙容器本体の材料としては、紙自体はもちろん、紙に類するシート状の材料が含まれる。
【００１０】
この構造においては、開封前の最初の段階でキャップを開栓方向に回すと、キャップベースとリテーナのネジ嵌合部分（第１ネジ部）の相対回転がストッパ手段によって無効化されており、リテーナがキャップベース側に固定されているので、キャップがリテーナに対して回転することになり、第２ネジ部のリード作用によって、キャップが下降し、キャップに設けた開封軸部が、紙容器本体の開口予定部を中に押し込んで開口させる。
【００１１】
次に、そのままキャップを開栓方向に回し続けると、キャップとリテーナがネジ込み限界に達することで、共回りするようになる。この段階は、開封後であるから、第一ネジ部を相対回転できるように解放し、第２ネジ部の相対回転を無効化したことになる。そして、キャップとリテーナが開栓方向に共回りすることにより、リテーナがキャップベースから上昇して、キャップとリテーナがキャップベースから外れ、キャップベースの口部が開放される。
【００１２】
いったん開封した後は、ストッパ手段の作用によって、リテーナがキャップ側に固定された形になるので、キャップを閉める場合は、キャップを閉栓方向に回すことにより、通常のキャップのように、第１ネジ部の作用でリテーナと一体のキャップを下降させ、キャップベースの口部を塞ぐことができる。
【００１３】
請求項２の発明は、請求項１記載の紙容器のキャップ構造であって、前記ストッパーが前記キャップの周壁内面に設けられた係止突起からなり、該係止突起に、開封前のキャップの下降時にリテーナの上端をキャップベース側に押さえ付けて前記第１ネジ部の相対回転を無効化する傾斜面と、開封後のキャップの下降時にリテーナの上端を係止することで前記第２ネジ部の相対回転を無効化する係止壁とが設けられていることを特徴とする。
【００１４】
この構造においては、開封前の最初の段階でキャップを開栓方向に回すと、キャップベースとリテーナのネジ嵌合部分（第１ネジ部）の相対回転が、ストッパーとしての係合突起により阻止され、第２ネジ部のみ相対回転が許されているから、キャップがリテーナに対して下降する。このとき、キャップの内周に設けた係合突起の傾斜面が、キャップの下降に伴ってリテーナの上端をキャップベース側に強く押し付け、リテーナの回転を阻止する。そして、第２ネジ部のリード作用によってキャップが下降することで、キャップに設けた開封軸部が、紙容器本体の開口予定部を中に押し込んで開口させる。
【００１５】
次に、そのままキャップを開栓方向に回し続けると、キャップとリテーナがネジ込み限界に達することで共回りするようになる。そして、キャップとリテーナが開栓方向に共回りすることにより、リテーナがキャップベースから上昇して、キャップとリテーナがキャップベースから外れ、キャップベースの口部が開放される。
【００１６】
この状態からキャップを閉める場合は、キャップを閉栓方向に回す。そうすると、もしリテーナがキャップに対して相対回転できる状態であれば、キャップに対してリテーナが下降するだけ（あるいはリテーナに対してキャップが上昇するだけ）となる可能性があるが、係止突起の係止壁によってリテーナの上端がキャップに係止されているので、リテーナはキャップに対して下降せず、キャップ側に保持された形になり、リテーナとキャップが一体となって回り、第１ネジ部の作用でリテーナと一体のキャップが下降して、キャップベースの口部を塞ぐ。
【００１７】
請求項３の発明は、請求項１または２記載の紙容器のキャップ構造であって、前記開口予定部の外面に紙容器本体よりも硬質材料で作成された中栓が固着し、該中栓に対して前記開封軸部がピボットを介して回転自在に結合されていることを特徴とする。
【００１８】
この構造では、開封時に、硬質材料で作成された中栓が開口予定部を押し込んで開口させるので、開封が確実できれいに行われる。また、中栓は開口予定部に貼り付けられており、開栓時にキャップと共に取り外されるので、内容物の注出口に残留部品がなくなって、中味が吐出しやすくなると共に、衛生的になる。
【００１９】
【発明の実施の形態】
以下、本発明の実施形態を図面に基づいて説明する。
【００２０】
図１〜図３は実施形態のキャップ構造の断面図であり、図１は紙容器本体を開封する前の状態を示す図、図２はキャップの開封軸部により紙容器本体を開封した状態を示す図、図３は開封した後にそのままキャップを回して開栓しようとしている状態を示す図である。
【００２１】
このキャップ構造は、主に４つの樹脂部品、即ちキャップベース６１、リテーナ６２、キャップ６３、中栓６５で構成されている。これらの部品は、複合紙製の箱型の紙容器本体５１よりも当然硬質である。紙容器本体５１の上面には、パーフォレーション（ミシン目あるいは切り抜き線）５２で囲まれた円形の開口予定部５３が形成されている。
【００２２】
キャップベース６１は口部６１ａを有する円筒部品であり、底面で紙容器本体６１の外面に開口予定部５３を同心状に囲むように接着されており、開口予定部５３の外面には円板状の中栓６５が接着されている。なお、中栓６５は、切り離し用弱部６５ａを介してキャップベース６１と一体に成形しておいてもよい。
【００２３】
キャップベース６１の口部６１ａの内周上部には、第１ネジ部としての右ネジ７１（キャップベース６１側の右雌ネジとリテーナ６２側の右雄ネジよりなる）を介して、円筒状のリテーナ６２が螺合されている。リテーナ６２は、上端のフランジ６２ａがキャップベース６１の口部６１ａの上端に当たるまでねじ込まれており、フランジ６２ａの外周がキャップベース６１の口部６１ａの外周よりも外に突出している。
【００２４】
このリテーナ６２の内周には、第２ネジ部としての左ネジ７２（リテーナ６２側の左雌ネジとキャップ６３側の左雄ネジよりなる）を介して、キャップ６３の天板６３ｂの内面に突設した開封軸部６４が螺合されている。開封軸部６４は、中栓６５を介して開口予定部５３を押し下げることにより、開口予定部５３をパーフォレーション５２に沿って打ち抜き開口を形成するものであり、下端のピボット６９を介して中栓６５と回転自在に結合されている。
【００２５】
ここでは、キャップ６３の開栓方向を左回りに設定しているから、第１ネジ部としての右ネジ７１は、キャップベース６１に対しリテーナ６２を開栓方向（左回り）に回すことで、リテーナ６２をキャップベース６１に対して上昇させる。また、キャップベース６１に対しリテーナ６２を閉栓方向（右回り）に回すことで、リテーナ６２をキャップベース６１に対して下降させる。一方、第２ネジ部としての左ネジ７２は、リテーナ６２に対しキャップ６３を開栓方向（左回り）に回すことで、キャップ６３をリテーナ６２に対して下降させる。また、リテーナ６２に対しキャップ６３を閉栓方向（右回り）に回すことで、キャップ６３をリテーナ６２に対して上昇させる。
【００２６】
キャップ６３の周壁６３ａの内周には、ストッパ手段としての係止突起６８が設けられている。この係止突起６８は、その下面側に開封前のキャップ６３の下降時にリテーナ６２の上端フランジ６２ａをキャップベース６１側に押さえ付けて右ネジ７１の相対回転を無効化する傾斜面６８ａを有すると共に、その上面側に開封後のキャップ６３の下降時にリテーナ６２の上端フランジ６２ａを係止することで左ネジ７２の相対回転を無効化する係止壁６８ｂを有している。
【００２７】
次に作用を説明する。
【００２８】
開封はキャップ６３を左に回すことにより行われる。即ち、開封前の最初の段階でキャップ６３を左に回すと、図１に示すように、キャップ６３の内周に設けた係合突起６８の傾斜面６８ａが、リテーナ６２の上端フランジ６２ａをキャップベース６１側に押し付けているので、リテーナ６２は回転阻止され（右ネジ７１の相対回転が無効化され、リテーナ６２が上昇できない状態に保持される）、左ネジ７２のリード作用によって、キャップ６３が下降する。そして、図２に示すように、キャップ６３の開封軸部６４が、紙容器本体５１の開口予定部５３を中に押し込むことにより、開口予定部５３をパーフォレーション５２に沿って開口させる。
【００２９】
そのままキャップ６３を左に回し続けると、キャップ６３とリテーナ６２が左ネジ７２のネジ込み限界に達することで共回りするようになる。このとき、リテーナ６２の上端フランジ６２ａが係止突起６８の傾斜面６８ａを乗り越えて、係止壁６８ｂと天板６３ａの間に嵌まることで、リテーナ６２をキャップベース６１側に押さえ付けていた力が解除される。つまり、第１ネジ部としての右ネジ７１の相対回転を無効にしていた作用がなくなる。それと同時に、リテーナ６２がキャップ６３側に固定されることで、第２ネジ部としての左ネジ７２の相対回転が無効にされる。
【００３０】
そして、キャップ６３とリテーナ６２が開栓方向（左方向）に共回りすることにより、図３に示すように、リテーナ６２がキャップベース６１から上昇して、最終的にキャップ６３とリテーナ６２がキャップベースから離脱し、キャップベース６１の口部６１ａが開放される。
【００３１】
この状態からキャップ６３を閉める場合は、キャップ６３を右（閉栓方向）に回す。そうすると、もしもリテーナ６２がキャップ６３に対して相対回転できる状態であれば、リテーナ６２に対してキャップ６３が上昇するだけとなる可能性があるが、係止突起６８でリテーナ６２の上端フランジ６２ａがキャップ６３に係止されているので、キャップ６３はリテーナ６２に対して上昇せず、キャップ６３側に保持された形になり、リテーナ６２とキャップ６３が一体となって右に回り、右ネジ７１の作用でリテーナ６２と一体のキャップ６３が下降して、キャップベース６１の口部６１ａをリテーナ６２のフランジ６２ａが塞ぐ。
【００３２】
従って、キャップ６３を左に回すだけで、最初の段階で紙容器本体５１を自動開封すると共に、次の段階でキャップ６３を開栓することができ、その後、キャップを右に回すだけで、通常のネジ式キャップと全く同様に閉栓することができる。このため、開封が容易・確実で衛生的に行える。また、キャップのネジ込みにより普通に再封できるので、再封性も良好となる。また、リテーナの外と内のネジの方向を逆に設定し、キャップ内に開封軸部６４と係合突起６８を設けるだけであるから、構造も簡単で安価に実施することができる。また、開封のための刃も必要ないので、リサイクルのための解体時の安全性も高まる。
【００３３】
また、開封は硬質の中栓６５によって行い、開封した後の開口予定部５３は中栓６５と一緒に外れるので、確実できれいな開封を行うことができると共に、内容物の注出口に残留部品が残らなくなって、中味が吐出しやすくなり、且つ、衛生面の向上が図れる。
【００３４】
なお、上記実施形態における右ネジ７１と左ネジ７２は逆に設定してもよい。つまり、キャップベース６１とリテーナ６２を左ネジで螺合し、リテーナ６２とキャップ６３の開封軸部６４を右ネジで螺合してもよい。ただし、その場合は開栓方向が右回り、閉栓方向が左回りとなる。
【００３５】
【発明の効果】
以上説明したように、請求項１の発明によれば、単純な同一方向のキャップ回転動作のみで、紙容器本体の開封を簡単、確実、衛生的に行うことできる。また、キャップのネジ込みによって再封するので再封性も良好であり、リテーナの外と内のネジの方向を逆に設定しキャップにストッパ手段を設けるだけであるから、構造も簡単で実現容易である。また、開封のための刃も不要であるから、リサイクルのための解体時の安全性を高めることができる。
【００３６】
請求項２の発明によれば、キャップの内周に係止突起を設けるだけでストッパーを形成できるので、構造の単純化を図れる。
【００３７】
請求項３の発明によれば、開口予定部の開封は硬質の中栓によって行い、開封した後の開口予定部は中栓と一緒に外れるようにしたので、確実できれいな開封を行うことができる。また、内容物の注出口に残留部品が残らなくなるため、中味が吐出しやすくなると共に、一層衛生的になる。
【図面の簡単な説明】
【図１】本発明の実施形態のキャップ構造の断面図であり、紙容器本体を開封する前の状態を示す図である。
【図２】本発明の実施形態のキャップ構造の断面図であり、キャップの開封軸部により紙容器本体を開封した状態を示す図である。
【図３】本発明の実施形態のキャップ構造の断面図であり、開封した後にそのままキャップを回して開栓しようとしている状態を示す図である。
【図４】従来のキャップ構造の一例を示す図である。
【図５】従来のキャップ構造の他の例を示す図である。
【符号の説明】
５１  紙容器本体
５２  パーフォレーション５２
５３  開口予定部
６１  キャップベース
６１ａ  口部
６２  リテーナ
６２ａ  上端フランジ
６３  キャップ
６３ａ  周壁
６４  開封軸部
６５  中栓
６８  係止突起（ストッパ手段）
６８ａ  傾斜面
６８ｂ  係止壁
６９  ピボット
７１  右ネジ（第１ネジ部）
７２  左ネジ（第２ネジ部）
【図１】
0004234834.tif 000002
【図２】
0004234834.tif 000003
【図３】
0004234834.tif 000004
【図４】
0004234834.tif 000005
【図５】
0004234834.tif 000006